(57)【要約】【課題】  上下風向板の内側に収容される補助上下風向板の補助支軸部を上下風向板の支軸部の下流側に設けることにより、風量の減少を極力抑えて上下方向の風向を効果的に偏向できるようにした空気調和機を提供する。【解決手段】  吸込口１と吹出口２とを結ぶ空気通路に送風ファン５を設け、前記吹出口２を開閉し且つ上下方向の風向を偏向する上下風向板７を支軸部８により回動自在に軸支するとともに、同上下風向板７の内側に収容される補助上下風向板９を補助支軸部10により回動自在に軸支してなる空気調和機において、前記補助支軸部10が、前記吹出口２を構成する送風路2aに設けた前記支軸部８の下流側に設けられてなることを特徴とした。【選択図】  図２
2007093092.tif 000002
【特許請求の範囲】
【請求項１】
吸込口と吹出口とを結ぶ空気通路に送風ファンを設け、前記吹出口を開閉し且つ上下方向の風向を偏向する上下風向板を支軸部により回動自在に軸支するとともに、同上下風向板の内側に収容される補助上下風向板を補助支軸部により回動自在に軸支してなる空気調和機において、
前記補助支軸部が、前記吹出口を構成する送風路に設けた前記支軸部の下流側に設けられてなることを特徴とする空気調和機。
【請求項２】
前記補助支軸部が、前記送風路の上壁前部に形成され前方を拡開した拡開部に設けられてなることを特徴とする請求項１に記載の空気調和機。
【請求項３】
前記補助上下風向板が、前記拡開部に収容されるように回動してなることを特徴とする請求項１または請求項２に記載の空気調和機。
【請求項４】
吸込口と吹出口とを結ぶ空気通路に送風ファンを設け、前記吹出口を開閉し且つ上下方向の風向を偏向する上下風向板を支軸部により回動自在に軸支するとともに、同上下風向板の内側に収容される補助上下風向板を補助支軸部により回動自在に軸支してなる空気調和機において、
前記補助上下風向板が、前記吹出口を構成する送風路を延長できるように構成されてなることを特徴とする空気調和機。
【請求項５】
吸込口と吹出口とを結ぶ空気通路に送風ファンを設け、前記吹出口を開閉し且つ上下方向の風向を偏向する上下風向板を支軸部により回動自在に軸支するとともに、同上下風向板の内側に収容される補助上下風向板を補助支軸部により回動自在に軸支してなる空気調和機において、
前記補助上下風向板が、前記吹出口を構成する送風路の上壁と前記上下風向板との間を流通する空気を偏向する位置に設けられてなることを特徴とする空気調和機。
【請求項６】
吸込口と吹出口とを結ぶ空気通路に送風ファンを設け、前記吹出口を開閉し且つ上下方向の風向を偏向する上下風向板を支軸部により回動自在に軸支するとともに、補助上下風向板を補助支軸部により回動自在に軸支してなる空気調和機において、
前記補助上下風向板は、暖房運転時には、前記吹出口を構成する送風路の上壁と前記上下風向板との間を流通する空気を偏向する位置に回動し、冷房運転時には、風向偏向に寄与しない位置に回動してなることを特徴とする空気調和機。
【発明の詳細な説明】
【技術分野】
【０００１】
本発明は、吹出口を構成する送風路に上下方向の風向を偏向する上下風向板と、同上下風向板の内側に収容される補助上下風向板とを備えた空気調和機に係わり、より詳細には、風量を減少させることなく上下方向の風向を効果的に偏向できるようにした構成に関する。
【背景技術】
【０００２】
従来の空気調和機には、吹出口における上下方向の風向を効率よく偏向できるようにしたものとして、風向変更板および補助風向変更板を下に向けると、従来送風路の出口で送風路の形状に沿って流れ下側に流れにくかった送風路の上壁付近を流れる空気を、補助風向変更板で下向きに導くようにし、また風向変更板および補助風向変更板を水平方向に向けると、従来のものより上流側で一旦水平方向に空気の流れ方向を変えているので、従来のものと比較して、空気の吹き出される方向が水平方向にそろうようにし、このため、空気の吹き出される下向きの方向および水平方向においてこの空気の吹き出される方向をそろえることができ、床面方向に温風を当てやすくなって下部からの暖房、および部屋の中央側に冷風を吹き出しやすくなって部屋の中央からの冷房を効果的に行うことができるようにしてなるものがあった（例えば、特許文献１参照。）。
【０００３】
しかしながら、前記補助風向変更板が前記風向変更板の上流側にレイアウトされていることから、前記補助風向変更板を動作（回動）させた際、特許文献１に添付された図２に示すように、同補助風向変更板によって送風路が充分な距離でないのに途中で狭められてしまうことになり、そのため同送風路における風量が大幅に減少してしまうという問題点があった。
【０００４】
【特許文献１】特許第３０８１４７１号公報
【発明の開示】
【発明が解決しようとする課題】
【０００５】
そこで、本発明は上述した課題を解決するためになされたものであって、その目的は、上下風向板の内側に収容される補助上下風向板を送風路を延長する箇所に配置することで、風量の減少を極力抑えて上下方向の風向を効果的に偏向できるようにした空気調和機を提供することにある。
【課題を解決するための手段】
【０００６】
上述した目的を達成するため、本発明は以下に示す特徴を備えている。
吸込口と吹出口とを結ぶ空気通路に送風ファンを設け、前記吹出口を開閉し且つ上下方向の風向を偏向する上下風向板を支軸部により回動自在に軸支するとともに、同上下風向板の内側に収容される補助上下風向板を補助支軸部により回動自在に軸支してなる空気調和機において、
前記補助支軸部が、前記吹出口を構成する送風路に設けた前記支軸部の下流側に設けられてなることを特徴としている。
【０００７】
また、前記補助支軸部が、前記送風路の上壁前部に形成され前方を拡開した拡開部に設けられてなることを特徴としている。
【０００８】
また、前記補助上下風向板が、前記拡開部に収容されるように回動してなることを特徴としている。
【０００９】
また、吸込口と吹出口とを結ぶ空気通路に送風ファンを設け、前記吹出口を開閉し且つ上下方向の風向を偏向する上下風向板を支軸部により回動自在に軸支するとともに、同上下風向板の内側に収容される補助上下風向板を補助支軸部により回動自在に軸支してなる空気調和機において、
前記補助上下風向板が、前記吹出口を構成する送風路を延長できるように構成されてなることを特徴とする空気調和機。
【００１０】
また、吸込口と吹出口とを結ぶ空気通路に送風ファンを設け、前記吹出口を開閉し且つ上下方向の風向を偏向する上下風向板を支軸部により回動自在に軸支するとともに、同上下風向板の内側に収容される補助上下風向板を補助支軸部により回動自在に軸支してなる空気調和機において、
前記補助上下風向板が、前記吹出口を構成する送風路の上壁と、前記上下風向板との間を流通する空気を偏向する位置に設けられてなることを特徴としている。
【００１１】
更に、吸込口と吹出口とを結ぶ空気通路に送風ファンを設け、前記吹出口を開閉し且つ上下方向の風向を偏向する上下風向板を支軸部により回動自在に軸支するとともに、補助上下風向板を補助支軸部により回動自在に軸支してなる空気調和機において、
前記補助上下風向板は、暖房運転時には、前記吹出口を構成する送風路の上壁と前記上下風向板との間を流通する空気を偏向する位置に回動し、冷房運転時には、風向偏向に寄与しない位置に回動してなることを特徴としている。
【発明の効果】
【００１２】
本発明によれば、上下風向板の内側に収容される補助上下風向板を送風路のできるだけ外側に配置することにより、風量の減少を極力抑えて上下方向の風向を効果的に偏向できるようにした空気調和機を提供できる。
【発明を実施するための最良の形態】
【００１３】
次に、本発明の実施形態について図面を参照しながら説明する。
図１は本発明による空気調和機の実施例１の第一例として吹出口を閉じた状態を示す断面図であり、図２は実施例１の第二例として吹出口の水平方向に冷風を吹き出す状態を示す断面図であり、図３は実施例１の第三例として吹出口の下方に温風を吹き出す状態を示す断面図であり、図４は実施例１の第四例として吹出口の更に下方に温風を吹き出す状態を示す断面図であり、図５は本発明による空気調和機の実施例２の第一例として吹出口を閉じた状態を示す断面図であり、図６は実施例２の第二例として吹出口の水平方向に冷風を吹き出す状態を示す断面図であり、図７は実施例２の第三例として吹出口の下方に温風を吹き出す状態を示す断面図である。
【００１４】
本発明による空気調和機は、図に示すように、吸込口１と吹出口２とを結ぶ空気通路に、前記吸込口１から吸い込まれた空気中の塵埃を除去するエアフィルタ３と、塵埃が除去された清浄空気を熱交換する熱交換器４と、熱交換された空気を前記吹出口２に送出する送風ファン５とが設けられた構成になっている。
【００１５】
前記吹出口２を構成する所定長さの送風路2aの下壁には、左右方向の風向を偏向する連結された複数の左右風向板からなる左右風向板群６が支軸部6aにより回動自在に軸支されており、また、同左右風向板群６の前方であって前記送風路2aの上壁2bには、上下方向の風向を偏向する上下風向板７を回動自在に軸支するための支軸部８が突設されている。
【００１６】
また前記送風路2aの下壁は、支軸部13により回動自在に軸支されたディフューザ12によって延長されるように構成されており、運転停止時には図１および図５に示すように、前記吹出口２が前記上下風向板７と前記ディフューザ12とで閉じられるようになっている。
【００１７】
運転時には、前記送風ファン５によって前記吹出口２から吹き出される空気は、同吹出口２を構成する所定長さの送風路2aを風量の減少を極力抑えるようにして流通するとともに、前記上下風向板７と、前記支軸部８の下流側に設けられた補助支軸部10により回動自在に軸支された補助上下風向板９とによって上下方向の風向が効果的に偏向されるようになっている。
【００１８】
なお、前記補助支軸部10は、上述したとおり前記支軸部８の下流側に設けられるように構成されているが、前記支軸部８とほぼ同等の位置に設けられるように構成してもよい。
【００１９】
これにより、前記補助支軸部10は、前記補助上下風向板９によって前記吹出口２を構成する送風路を延長できる位置に設けられ、また、同吹出口２の上壁2bと前記上下風向板７との間を流通する空気を偏向できる位置に設けられることになって、上述した背景技術のように、補助風向変更板によって送風路が充分な距離でないのに途中で狭められてしまうことになり、そのため同送風路における風量が大幅に減少してしまうということがなくなる。
【実施例１】
【００２０】
ここで、前記補助上下風向板９の構成について、実施例１として示す図１乃至図４に基づいて詳細に説明する。
【００２１】
前記補助上下風向板９は、実施例１として図１乃至図４に示すように、同補助上下風向板９の補助支軸部10を構成する支持片10a を備えた構成になっている。
【００２２】
前記補助上下風向板９は、前記上下風向板７の支軸部８の下流側となる前記送風路2aの上壁2b寄りに前記補助支軸部10によって回動自在に軸支された構成になっており、これによって、前記吹出口２から吹き出される空気は、上述したように前記上壁2bと、下壁を延長するように構成された前記ディフューザ12とで上下部が構成される所定長さの送風路2aを風量の減少を極力抑えて流通したのち、前記上下風向板７と前記補助上下風向板９とで上下方向の風向が効果的に偏向されることになる。
【００２３】
前記補助上下風向板９を回動自在に軸支した前記補助支軸部10は、前記送風路2aの上壁2bの前方を拡開するように段部11として形成した拡開部に設けられており、これによって、前記吹出口２から吹き出される空気への抵抗が大きくならないように抑えることができるようになっている。
【００２４】
そして、前記補助上下風向板９は、図２に示すように、前記段部11の前方に収容されるように回動して前記送風路2aの上壁2bを延長させるようにし、例えば冷房運転時には、前記吹出口２から吹き出される空気への抵抗が大きくならないように抑えるとともに、風向偏向には寄与しない位置に回動して室内空気の巻き込みをなくすることで前記送風路2aの上壁2bに結露が生じないよう防止できるようになり、また、前記補助上下風向板９と、前記上下風向板７および前記ディフューザ12との組み合わせにより、冷風を水平方向に効果的に偏向させて吹き出せる機能をもたせるように構成されている。
【００２５】
なお、図１において、前記補助上下風向板９は回動させずに、前記上下風向板７および前記ディフューザ12を略水平方向に回動させた場合であっても、前記補助上下風向板９は風向偏向には寄与せず、室内空気の巻き込みをなくして前記上下風向板７への結露の発生を防止できるようになるため、冷房運転時の前記補助上下風向板９は図１に示す位置でもよい。
【００２６】
また、前記補助上下風向板９は、例えば暖房運転時には、図３および図４に示すように、前記上下風向板７および前記ディフューザ12とともに下方に向けて前記送風路2aの上壁2bを延長させる位置に回動し、前記送風路2aの上壁2bと前記上下風向板７との間を流通する空気を偏向できるようにすることで、温風を下方に効果的に偏向させて吹き出せるようになる。
【実施例２】
【００２７】
次に、前記補助上下風向板９のその他の構成について、実施例２として示す図５乃至図７に基づいて詳細に説明する。
【００２８】
前記補助上下風向板９は、実施例２として図５乃至図７に示すように、同補助上下風向板９と補助支軸部10を構成する支持片10a が、上述した実施例１の場合に対し側面視で反対側に形成されている。
【００２９】
前記支持片10a が実施例１の反対側に形成された前記補助上下風向板９は、上述した実施例１の場合と同様に、前記上下風向板７の支軸部８の下流側となる前記送風路2aの上壁2b寄りに回動自在に軸支されてなる構成になっており、これによって、前記吹出口２から吹き出される空気は、上述したように前記上壁2bと、下壁を延長するように構成する前記ディフューザ12とで上下部が構成される所定長さの送風路2aを風量の減少を極力抑えて流通したのち、前記上下風向板７と前記補助上下風向板９とで上下方向の風向が効果的に偏向されることになる。
【００３０】
また、前記補助上下風向板９を回動自在に軸支した前記補助支軸部10は、前記送風路2aの上壁2bに前方を拡開するように傾斜部11' として形成した拡開部に設けられており、これによって、前記吹出口２から吹き出される空気への抵抗が大きくならないように抑えることができるようになっている。
【００３１】
そして、前記補助上下風向板９は、図６に示すように、前記送風路2aの上壁2bを延長させるように水平位置に回動することで、前記吹出口２から吹き出される空気への抵抗が大きくならないように抑えるとともに、前記送風路2aの上壁2bと前記上下風向板７との間を流通する空気を偏向できるようになり、また、前記補助上下風向板９と、前記上下風向板７および前記ディフューザ12との組み合わせにより、例えば冷房運転時に、冷風を水平方向に効果的に偏向させて吹き出せる機能をもたせるように構成されている。
その際、冷風が、図６に示す前記補助上下風向板９の上下面に沿って流通することにより、同補助上下風向板９に結露しなくなる。
【００３２】
なお、図５において、前記補助上下風向板９は回動させずに、前記上下風向板７および前記ディフューザ12を略水平方向に回動させた場合であっても、前記補助上下風向板９は風向偏向には寄与せず、室内空気の巻き込みをなくして前記上下風向板７への結露の発生を防止できるようになるため、冷房運転時の前記補助上下風向板９は図５に示す位置でもよい。
【００３３】
また、前記補助上下風向板９は、図７に示すように前記上下風向板７および前記ディフューザ12とともに下方に向けて前記送風路2aの上壁2bを延長させるように回動し、また、前記送風路2aの上壁2bと前記上下風向板７との間を流通する空気を偏向できるようにして、例えば暖房運転時に、温風を下方に効果的に偏向させて吹き出せるようになる。
【００３４】
なお、前記補助上下風向板９は、上述した実施例１に対応して図１に示し、実施例２に対応して図５に示すように、前記上下風向板７の内側に収容されるように回動してなる構成になっており、これによって、運転停止時に、前記上下風向板７および前記ディフューザ12によって前記吹出口２を閉じた際、前記上下風向板７で遮蔽した状態でその内側に収容されることになって外観性を損ねるということがなくなる。
【図面の簡単な説明】
【００３５】
【図１】本発明による空気調和機の実施例１の第一例として吹出口を閉じた状態を示す断面図である。
【図２】実施例１の第二例として吹出口の水平方向に冷風を吹き出す状態を示す断面図である。
【図３】実施例１の第三例として吹出口の下方に温風を吹き出す状態を示す断面図である。
【図４】実施例１の第四例として吹出口の更に下方に温風を吹き出す状態を示す断面図である。
【図５】本発明による空気調和機の実施例２の第一例として吹出口を閉じた状態を示す断面図である。
【図６】実施例２の第二例として吹出口の水平方向に冷風を吹き出す状態を示す断面図である。
【図７】実施例２の第三例として吹出口の下方に温風を吹き出す状態を示す断面図である。
【符号の説明】
【００３６】
１  吸込口
２  吹出口
2a  送風路
2b  上壁
３  エアフィルタ
４  熱交換器
５  送風ファン
６  左右風向板群
6a  支軸部
７  上下風向板
８  支軸部
９  補助上下風向板
10  補助支軸部
10a 支持片
11  段部
11' 傾斜部
12  ディフューザ
13  支軸部
【図１】
2007093092.tif 000003
【図２】
2007093092.tif 000004
【図３】
2007093092.tif 000005
【図４】
2007093092.tif 000006
【図５】
2007093092.tif 000007
【図６】
2007093092.tif 000008
【図７】
2007093092.tif 000009